(57)【要約】 【課題】精算方式についての稼動条件を、“現金可”から“現金不可”に設定変更した等の場合でも、給油端末機に入金された紙幣が格納されたまま残っていることを防止し、防犯・安全面の向上をはかる。【解決手段】稼動条件の変更としての精算方式に係わる変更が行われ、給油料金の現金前払いを付加とする“現金不可”の設定変更が行われた場合は、現金入金機能を備えた給油端末機３に入金された現金が格納されたままであるか否かを確認し、格納されたままである場合には、設定変更した給油所管理者に対して警報する。【選択図】図６
2010023883.tif 000002
【特許請求の範囲】
【請求項１】
給油所内で給油管理機に通信接続されて設けられ、精算方法を含む計量機を使用した給油作業内容の設定手段と、給油作業の実施に伴う前払い給油料金を入金するための現金入金機とを備えた給油端末機であって、
前記給油管理機からの自身の稼動条件の設定変更指示を受信する受信手段と、
該受信手段によって受信された稼動条件の設定変更指示が、現金入金可能の精算方式から現金入金不可の精算方式への稼動条件の設定変更指示であるか否かを判定する判定手段と、
前記現金入金機に格納されている現金の有無を確認する現金確認手段と、
前記判定手段が現金入金不可の精算方式への稼動条件の設定変更指示である場合には、該現金確認手段の確認結果を前記給油管理機に送信する送信手段と
を備え、
現金入金不可の精算方式への稼動条件の設定変更時に、前記現金入金機に現金が格納されている場合には、前記給油管理機に対して現金が格納されたままであることを報知する
ことを特徴とする給油端末機。
【請求項２】
前記受信手段によって現金入金不可の精算方式への稼動条件の設定変更指示を受信した際、前記現金確認手段によって前記現金入金機に格納されている現金が回収されるまで、現金入金不可の精算方式への稼動条件の設定変更を保留する変更制御手段
をさらに備えていることを特徴とする請求項１記載の給油端末機。
【請求項３】
前記給油管理機からの自身の稼動条件の設定変更指示は予め定められた所定時刻に前記給油管理機から送信される
ことを特徴とする請求項１又は２記載の給油端末機。
【請求項４】
油液の補給を行う計量機と、
精算方法を含む計量機を使用した給油作業内容の設定を行うとともに、給油作業の実施に伴う前払い給油料金を入金するための現金入金機とを備えた給油端末機と、
前記計量機及び前記給油端末機と通信ラインを介して接続されて設けられ、前記計量機の作動状況を監視し、前記計量機及び前記給油端末機の稼動条件を設定する給油管理機とを備えている給油システムであって、
前記給油管理機には、前記計量機及び前記給油端末機に対して現金入金不可の精算方式への稼動条件の変更を指示した場合に、前記給油端末機から前記現金入金機に現金が格納されたままであることを示す信号を受信した場合には、当該格納されたままの現金回収を促す警報を発する警報手段
を備えていることを特徴とする給油システム。
【発明の詳細な説明】
【技術分野】
【０００１】
本発明は、給油所に設置され、給油作業における精算方法等といった計量機を使用した給油作業内容の設定機能に加えて、給油作業の実施に伴う現金入金機能を備えた給油端末機，及びこの給油端末機を用いた現金支払による前払い精算方式のセルフサービス給油が可能な給油システムに関する。
【背景技術】
【０００２】
顧客自らが給油作業を行うセルフサービス方式ガソリンスタンドでは、計量機により給油作業を行う給油エリアと、給油エリア毎の給油作業状況や精算作業を管理する給油管理機が設けられている給油所事務所との間を、顧客が給油作業の際に何回も往復せずに済むように、給油エリアには給油端末機（いわゆる、外設端末機）が計量機に対応させて設置されている。
【０００３】
給油端末機は、給油所事務所の給油管理機、さらには給油エリアに設置された計量機とデータ接続され、これら機器間で、給油作業の実施に伴い生じる各種情報や制御信号等の送受信が行えるようになっている。
【０００４】
特に、現金入金機能を備えた給油端末機においては、顧客は、前払い精算方式のセルフサービス給油作業を行うに当たって、その前払い現金の入金も、給油事務所に行かずとも給油エリアで給油端末機によって行えるようになっている。
【０００５】
このように顧客の利便性をはかるため、給油端末機は、上述したように計量機とともに屋外（事務所外）の給油エリアに設けられる。そのため、従来から、給油端末機は、閉店時等にはその操作部全体をシャッターで覆うことができる筺体構造になっており、不使用時の操作部等の保護がはかれる構造になっている。
【０００６】
例えば、特開２００６−１７６１８２号公報に記載された、給油作業の実施に伴う各種作業内容の設定や現金の入金が行える給油端末機を、計量機筺体に一体的に備えている給油機の場合は、その計量機筺体に、給油のために停車した車両を検知する車両センサや顧客を検知する人体センサを設け、これら車両センサ又は人体センサの検知出力に基づき計量機の使用時（作業時）又は不使用時（待機時）を検出して、給油所営業中であっても不使用時（待機時）には、操作パネルや現金入金機の入金口が臨んだ給油端末機部分の操作部をシャッターで覆い隠して、その保護がはかれるようになっている。
【０００７】
【特許文献１】特開２００６−１７６１８２号公報
【発明の開示】
【発明が解決しようとする課題】
【０００８】
ところで、セルフサービス方式ガソリンスタンドでは、給油所管理者は、給油所事務所の給油管理機を用い、計量機，給油端末機等の各機器について、その使用（作業時）／不使用（待機）や使用中における作動状況を監視して、顧客によるセルフサービス給油作業の安全確認を行えるようになっている。また、必要に応じて、計量機，給油端末機等の各機器の稼動／非稼動（停止）やその稼動条件を設定して、顧客に許可する給油作業内容の設定変更も行えるようになっている。
【０００９】
例えば、給油所管理者は、混雑時でない状況では、給油作業可能な給油エリアの数を減少させて、顧客によるセルフ給油作業を給油所事務所近くの目が行き届きやすい給油エリアで行わせるようにすることもある。また、深夜時間帯等は、さらに防犯・安全の観点から給油端末機には顧客が入金した現金が貯まっていないようしておくことが好ましく、計量機，給油端末機等の機器の稼動条件を、顧客が車両等に油液を実際に補給する前に現金やプリペイドカードで予め所定金額の入金を行う前払い精算方式から、現金入金を伴わないプリペイドカードの使用だけによる前払い精算方式や、顧客が車両等に実際の給油を行った後に給油所事務所に給油料金を支払に行く後払い精算方式に設定変更したりすることもある。
【００１０】
しかしながら、従来のシャッターを備えた給油端末機の場合、そのシャッターの開／閉は、給油管理機による計量機，給油端末機等の機器に対しての精算方式についての稼動条件の変更とは連動していない。
【００１１】
また、シャッターが閉じられた後であっても、現金入金機能を備えた給油端末機では、入金された現金を回収し忘れると、現金が格納されたままの状態になる。
【００１２】
本発明はこのような問題点を勘案してなされたものであって、給油端末機や計量機等の機器についての稼動条件の変更としての精算方式に係わる変更が、給油管理機を用いて給油所管理者によってなされた場合の、機器保護及び防犯・安全の向上をはかった給油端末機，及び給油システムを提供することを目的とする。
【課題を解決するための手段】
【００１３】
本発明の給油端末機及び給油システムは、稼動条件の変更としての精算方式に係わる変更が行われ、給油料金の現金前払いを不可（禁止とする）とする“現金入金不可”（以下、現金不可と略称）の設定変更が行われた場合は、現金入金機能を備えた給油端末機に入金された現金が格納されたままであるか否かを確認し、格納されたままである場合には、設定変更した給油所管理者に対して警報することを特徴とする。
【発明の効果】
【００１４】
給油端末機、この給油端末機を用いた給油システムについて、精算方式についての稼動条件を、“現金入金可能”（以下、現金可と略称）から“現金不可”に設定変更した場合、又は給油端末機若しくは給油システムを非稼動（停止）状態にした場合に、給油端末機に入金された紙幣が格納されたまま残っていることが防止できるので、防犯・安全の向上がはかれる。
【発明を実施するための最良の形態】
【００１５】
本発明の実施の形態について図面に基づいて説明する。
【００１６】
図１は、本発明の一実施の形態に係る給油システムの構成図である。
本実施の形態の給油システム１では、計量機２と給油端末機３とが同一筐体１ａ内に一体的に収納した給油機４が、給油エリアＡ毎に設置されている（図１では、１つの給油エリアＡのみを記載して簡略化してある）。各給油機４は、通信ライン６を介して、給油所事務所Ｂに設置された給油管理機５とデータ接続され、給油作業に係わる各種情報や信号の送受信が行えるようになっている。
【００１７】
給油機４は、本実施の形態の場合、計量機２として、ガソリンＧ，ハイオクガソリンＰ，軽油Ｄの３油種の給油系統を備えた構成になっている。各給油系統Ｇ，Ｐ，Ｄは、給油ホース２１を介して先端の給油ノズル２２に油液を供給するポンプ等からなる送液手段２３と、給油作業の際に給油ノズル２２から車両等のタンクに補給された油量を計測する流量計等からなる計量手段２４とを、筐体１ａ内に備えている。また、筐体１ａ表面には、給油ノズル２２を非使用時に収納しておくノズル掛け２５を備え、ノズル掛け２５には給油ノズル２２の掛け外しを検出するノズルスイッチ２６が設けられている。
【００１８】
このような３つの給油系統を備えて構成された本実施の形態の計量機２の各部は、筐体１ａ内に設けられた計量機制御装置２７により作動制御される。計量機制御装置２７は、これら３つの給油系統Ｇ，Ｐ，Ｄの中、給油作業に際して顧客が給油端末機３により選択設定された１つの給油系統（すなわち、油種）についてその給油を許容するように、計量機３の対応する各部を作動制御する構成になっている。また、計量機制御装置２７は、この選択設定された１つの給油系統を用いての給油の実施によって、対応する計量手段２４から出力される流量計測出力を基づき、給油量等の給油情報を筐体１ａ面に設けられている給油表示器２８に表示する構成になっている。
【００１９】
次に、本実施の形態では、給油機４を計量機２とともに構成する給油端末機３の構成について、図２に基づいて説明する。
【００２０】
図２は、図１に示した給油機における給油端末機部分の拡大図である。
給油端末機３は、タッチパネル入力式の画面操作設定器３１，クレジットカード等のカード情報読取機３２，現金紙幣を入金するための現金入金機３３，給油作業終了時に伝票を発行する伝票発行機３４，案内音声や警報音声を出力する音声報知器３５，給油所事務所Ｂの給油所管理者と給油エリアＡで会話するためのインターフォン３６，及びこれら端末機各部を作動制御する端末機制御装置３７を含む構成になっている。なお、図２には、画面操作設定器３１の操作表示画面３１’，カード情報読取機３２のカード挿入部３２’，現金入金機３３の紙幣挿入部３３’，伝票発行機３４の伝票発行口３４’，音声報知器３５の報知スピーカ３５’，及びインターフォン３６の会話部３６’が現れている。さらに、図示の例では、カード情報読取機３２のカード挿入部３２’，現金入金機３３の紙幣挿入部３３’，伝票発行機３４の伝票発行口３４’，音声報知器３５の報知スピーカ３５’，及びインターフォン３６の会話部３６’が形成された操作部３” 部分には、これらを開閉可能に覆う透明部材からなる保護扉３８が設けられている。
【００２１】
さらに、操作部３” 部分の紙幣挿入部３３’の上方位置には、図３に示すように、紙幣挿入部３３’を外部（顧客）に対して目隠しするためのシャッター装置４０が備えられている。シャッター装置４０は、シャッター扉４１を手動操作で昇・降させることにとより、紙幣挿入部３３’を露出・隠蔽できるようになっている。本実施の形態では、シャッター装置４０には、シャッター扉４１が紙幣挿入部３３’を露出させた上昇格納位置にあるか、又は紙幣挿入部３３’を隠蔽する下降引出位置にあるかを検出するシャッター扉判別センサ４２が設けられている。
【００２２】
図３は、シャッター扉が閉められた状態の給油端末機の操作部部分の拡大図である。
さらに、現金入金機３３には、入金される紙幣（現金）の種別（入金額）を読み取る読取機構等に加えて、機内に入金された紙幣が格納されたまま残っているか否かを検出する現金格納センサ４５が設けられている。現金格納センサ４５の検知出力は、読取機構によって読み取った紙幣出力（入金額）と同様に、現金入金機３３から端末機制御装置３７に供給されるようになっている。
【００２３】
端末機制御装置３７は、画面操作設定器３１を給油作業の進行に合わせて作動制御し、油種の選択作業の際には、操作表示画面３１’に、「ガソリン」キー，「ハイオクガソリン」キー，「軽油」キーからなる油種選択キーを表示させ、その操作入力を受信したり、前払い精算方式における精算方法の選択作業の際には、図２及び図３に示したように、「現金（現金払い）」キー３１−１，「クレジット（クレジット払い）」３１−２，「プリカ（プリペイドカード）」３１−３からなる精算方法選択キーを表示させ、その操作入力を受信したりする等、操作案内メッセージを表示したり、顧客が行う給油作業内容の操作入力が行えるようになっている。
【００２４】
また、端末機制御装置３７は、給油作業の進行に合わせて制御し、カード情報読取機３２現金入金機３３を作動制御し、プリペイドカードによる入金額を含むカード記載情報を入手する。
【００２５】
また、端末機制御装置３７は、給油作業終了時、計量機制御装置２７から給油量等の給油情報を取得して、伝票発行機３４に給油情報に基づく伝票発行情報を供給し、伝票発行作動させる。
【００２６】
そして、本実施の形態の場合では、端末機制御装置３７は、計量機制御装置２７とともに協働して、給油機４の給油機制御装置として機能する。給油機制御装置は、これら情報を含む給油作業に係わる各種情報や信号を、図示せぬ通信インタフェースを介して、通信ライン６を用いて給油管理機５との間で、互いに送受信できる構成になっている。そして、この各種情報の中には、前述した現金入金機３３の現金格納センサ４５の検知出力に基づく現金残り信号や、給油管理機によって設定された精算方式等についての稼動条件の設定情報も含まれる。
【００２７】
その上で、端末機制御装置３７は、給油管理機５から給油機４に供給された精算方式等についての稼動条件の設定情報を受けて、画面操作設定器３１，カード情報読取機３２，現金入金機３３，伝票発行機３４等の各部を稼動条件の設定情報にしたがって作動制御し、計量機制御装置２７は、送液手段２３や計量手段２４等の各部を稼動条件の設定情報にしたがって作動制御する構成になっている。
【００２８】
図４は、図１に示した給油システムにおける給油管理機の拡大図である。
給油管理機５は、作業形態をＯＳＤ（On Screen Display）表示することが可能な表示器５２及び操作入力装置５３を備えた、通信機能を有するコンピュータ装置５１によって構成され、さらに給油端末機３のインターフォン３６と通信接続されているインターフォン５４が設けられた構成になっている。
【００２９】
給油管理機５は、給油所事務所Ｂから、各給油エリアＡの給油機４について、その全体機能又は一部機能の稼動／非稼動（停止）を設定したり、給油料金の精算方式に関係して前払い精算方式での作動や後払い精算方式での作動を、稼動条件として設定できるようになっている。
【００３０】
また、給油管理機５は、図示せぬ釣銭機の釣銭管理も行えるようになっている。釣銭機は、前払い精算方式の際に用いられ、給油所適所（例えば、給油所事務所Ｂ前等）に設置され、給油機４と同様に通信ライン６を介して、給油管理機５及び各給油機４と通信接続されている。釣銭機は、前払い精算方式の場合、車両への給油終了後に、入金した現金に対して釣銭が生じる場合、例えば、給油端末機３の伝票発行機３４から発行された伝票を釣銭機その読取部に読み取らせることによって、伝票（すなわち給油作業）を識別して釣銭情報を取得し、顧客に対して釣銭を返却する構成になっている。
【００３１】
図５は、給油管理機の表示器画面に表示された給油エリア毎の給油機の監視画面の一実施例を示したものである。
給油エリアＡ毎の給油機４の監視画面６０は、操作入力装置５３により操作可能なＧＵＩ（Graphical User Interface）を備えたＯＳＤ画面で形成され、給油エリアＡ，…毎の給油機４，…の稼動条件や作動状況を表示する監視ウィンドウ６１，…と、［緊急停止」，「メニュー（作業管理形態設定メニューを含む）」等といったタスクボタン６２，…とを含む構成になっている。
【００３２】
各監視ウィンドウ６１には、給油機４の「使用（給油作業中）」又は「不使用（待機中）」を報知する状況表示欄６４と、給油機４の「稼動」又は「「非稼動（停止）」、さらに「稼動」の場合における前払い精算方式の現金給油の「可」／「否」等といった稼動条件を表示し又は設定（設定変更）するための条件設定表示欄６５が設けられている。
【００３３】
図示の例の場合、給油所管理者は、所望の給油エリアＡの条件設定表示欄６５の表示上で、操作入力装置５３としてのポインティングデバイスを所定操作することにより、稼動条件の設定切替スイッチがポップアップ表示され、稼動条件を設定変更できる構成になっている。
【００３４】
なお、図５では、各給油エリアＡの給油機４について、現金支払給油の「可」すなわち現金支払給油をも許可する前払い精算方式の稼動条件が設定されていることを確認できる状態を示している。この結果、各給油エリアＡの給油機４には、給油管理機５から入金許可を含む前払い精算方式に対応する稼動条件情報が通信ライン６を介してそれぞれ伝送され、各給油機４の計量機制御装置２７及び端末機制御装置３７は、この稼動条件情報の受信に基づき、計量機２各部及び給油端末機３各部を、現金支払給油をも許可する前払い精算方式で作動制御する。そして、各給油機４の制御装置は、設定変更後、自身の設定変更された稼動条件を示す設定完了信号を、給油管理機５に送信する構成になっている。
【００３５】
次に、本実施の形態の給油システム１による稼動条件の変更に係る実施例について、図面とともに説明する。
【００３６】
＜第１の実施例＞
第１の実施例は、給油所管理者が、給油管理機１の監視画面６０上で、所望の給油機４に関して、顧客が車両等に油液を実際に補給する前に現金やプリペイドカードで予め所定金額の入金を行う前払い精算方式から、現金入金を伴わないプリペイドカードやクレジットカードの使用だけによる前払い精算方式に、稼動条件を設定変更した場合を説明したものである。
【００３７】
図６は、本実施の形態の給油システムによる第１の実施例の制御フローチャートである。
この場合、給油所管理者は、例えば、図５に示した監視画面６０上で、所望の給油機４の監視ウィンドウ６１を選択した上で、「メニュー」のタスクボタン６２を操作して精算方式の設定変更処理を選択し、精算方式の設定切替スイッチに係る操作画面をポップアップ表示させる。
【００３８】
給油所管理者は、この操作画面上で、現在設定されている前払い精算方式の入金不可スイッチを、“現金（現金支払い）可”のＯＦＦ状態から“現金（現金支払い）不可”のＯＮ状態に切換操作し、現金入金を伴わないプリペイドカードやクレジットカードの使用だけによる前払い精算方式に、精算方式についての稼動条件を設定変更する（ステップＳＣ１１）。
【００３９】
この精算方式の設定変更操作により、給油管理機５は、この精算方式の設定処理中に含まれる“入金付加スイッチ判定処理”によって、選択された所望の給油機４の給油機制御装置に対して、入金不可信号を送信する（ステップＳＣ１２）。
【００４０】
所望の給油機４の給油機制御装置は、この入金不可信号を受信すると、その端末機制御装置３７にこの入金不可信号を供給する（ステップＳＤ１１）。端末機制御装置３７は、この入金不可信号に基づき、現金入金機３３から現金格納センサ４５の検知出力を取得し、現金入金機３３内に入金された紙幣が格納されたまま残っているか否かを確認する（ステップＳＤ１２）。
【００４１】
この結果、現金入金機３３内に紙幣が格納されたまま残っている場合には、端末機制御装置３７は、給油４の制御装置から給油管理機５に現金残り信号を送信し（ステップＳＤ１３）、精算方式についての稼動条件が“現金不可”であるにもかかわらず、現金入金機３３内の現金が未回収になっている旨を示す、例えば「現金支払はできません。」というメッセージを、画面操作設定器３１のＯＳＤ画面中に表示する（ステップＳＤ１４）。
【００４２】
一方、給油管理機５は、入金不可信号を選択された給油機４へ送信後、選択された給油機４に対し、給油機４からの現金残り信号又は入金不可設定完了信号の受信待ち状態になっている（ステップＳＣ１３，ＳＣ１４）。
【００４３】
給油管理機５は、給油機４からの現金残り信号を受信すると（ステップＳＣ１３）、該当する給油機４の監視ウィンドウ６１に、精算方式の設定切替スイッチに係る操作画面に加えて、給油所管理者に給油端末機３からの現金回収を促す「現金を回収してください」との警報をポップアップ表示するとともに、条件設定表示欄６５には現金入金機３３内に紙幣が格納されたまま残っている状態を示す“現金有”を表示する（ステップＳＣ１５）。
【００４４】
この表示により、給油所管理者に、“現金不可”に稼動条件の設定を変更した給油機４について、その給油端末機３の現金入金機３３に紙幣が格納されたままであることを認識させ、顧客の誤操作等に基づく機器保護，及び防犯・安全の観点から、現金入金機３３に紙幣が格納されたままの紙幣を回収して、シャッター装置４０のシャッター扉４１を下降させて、紙幣挿入部３３’を隠蔽することを促す。
【００４５】
これに対して、ステップＳＤ１２による確認の結果、現金入金機３３内に紙幣が格納されず残っていない場合には、給油機制御装置を構成する計量機制御装置２７及び端末機制御装置３７は、自身の稼動条件の設定を前払い精算方式による入金不可モードを設定する。これに基づき、端末機制御装置３７は、画面操作設定器３１の操作表示画面３１’上に、顧客に現金支払による前払い精算方式が行えないこと知らせるために、図２の操作表示画面３１に示すような精算方法選択キー３１−１〜３１−３を表示する際に、例えば、「現金（現金払い）」の選択キー３１−１の表示を、この選択キーが操作できない状態にあることを示す選択キー３１−１の表示に変えたり、後述する図３に示すように、「現金」の選択キー３１−１を表示せず、「クレジット（クレジット払い）」及び「プリカ（プリペイドカード）」のそれぞれ選択キー３１−２，３１−３のみを表示する等して、現金支払による前払い精算方式を選択できないようにするとともに（ステップＳＤ１５）、現金入金機３３も紙幣が挿入できない作動モードにする。
【００４６】
その上で、端末機制御装置３７は、給油機４の給油機制御装置から給油管理機５に、入金不可設定完了信号を送信する（ステップＳＤ１６）。
【００４７】
給油管理機３は、給油機４からの入金不可設定完了信号を受信すると（ステップＳＣ１４）、該当する給油機４の監視ウィンドウ６１に対してポップアップ表示されていた精算方式の設定切替スイッチに係る操作画面や、給油所管理者に給油端末機３からの現金回収を促すとの警報を消去し、条件設定表示欄６５に今まで表示されていた“現金可”又は“現金有”の表示を“現金不可”に表示変更して、“現金不可”の稼動条件が設定完了したことを給油所管理者に報知する（ステップＳＣ１５）。
【００４８】
本実施例によれば、顧客が車両等に油液を実際に補給する前に現金やプリペイドカードで予め所定金額の入金を行う前払い精算方式から、現金入金を伴わないプリペイドカードやクレジットカードの使用だけによる前払い精算方式に、給油管理機５により給油機４の精算方式についての稼動条件を変更しても、現金入金機３３内に紙幣が格納されたまま残っている場合はその間ずっと給油所管理者に「現金を回収してください」との表示が監視画面６０中に表示され続けるので、給油所管理者は、現金入金機３３内の残っている紙幣を確実に回収することができ、シャッター装置４０のシャッター扉４１を下降させて紙幣挿入部３３’を隠蔽することができる。
【００４９】
なお、上記実施例では、ステップＳＤ１２による確認の結果、現金入金機３３内に紙幣が格納されたまま残っている場合には、給油機制御装置を構成する計量機制御装置２７及び端末機制御装置３７は、格納されたまま残っている紙幣が回収されない限りは、自身の稼動条件の設定を前払い精算方式による入金不可モードを設定しないこととしたが、現金入金機３３内に紙幣が格納されたまま残っていても、給油機制御装置を構成する計量機制御装置２７及び端末機制御装置３７は、自身の稼動条件の設定を前払い精算方式による入金不可モードを設定するようにしてもよい。
【００５０】
＜第２の実施例＞
第２の実施例は、給油所管理者が、給油管理機１の監視画面６０上で、事前に予め設定した時間帯に応じて自動的に、所望の給油機４に関して、顧客が車両等に油液を実際に補給する前に現金やプリペイドカードで予め所定金額の入金を行う前払い精算方式から、現金入金を伴わないプリペイドカードやクレジットカードの使用だけによる前払い精算方式に、稼動条件の設定を設定した場合を説明したものである。
【００５１】
図７は、本実施の形態の給油システムによる第２の実施例の制御フローチャートである。
この場合、給油所管理者は、例えば、図５に示した監視画面６０上で、所望の給油機４の監視ウィンドウ６１を選択した上で、「メニュー」のタスクボタン６２を操作して精算方式の時間帯自動変更処理を選択し、精算方式の時間帯自動変更処理に係る操作画面をポップアップ表示させる。
【００５２】
給油所管理者は、この操作画面上で、自動切換の時間帯（切換開始時刻及び切換終了時刻）を設定入力した上で、現在設定されている前払い精算方式の入金不可スイッチを、“現金（現金支払い）可”のＯＦＦ状態から“現金（現金支払い）不可”のＯＮ状態に切換操作し、現金入金を伴わないプリペイドカードやクレジットカードの使用だけによる前払い精算方式に、精算方式についての稼動条件を設定変更する。
【００５３】
この精算方式の設定変更操作により、給油管理機５は、この精算方式の設定処理中に含まれる“入金付加スイッチ判定処理”によって、自動切換の時間帯の切換開始時刻になったか否かを監視して、切換開始時刻になったならば入金不可信号を送信し、自動切換の時間帯の切換終了時刻になったならば入金許可信号を送信する構成になる。
【００５４】
そのため、図７に示した本実施例では、第１の実施例とは異なり、そのステップＳＣ１１の“入金付加スイッチ判定処理”では、自動切換の時間帯の切換開始時刻になったか否かを判定し、切換開始時刻になった場合には、ステップＳＣ１２により、選択された所望の給油機４の給油機制御装置に対して、入金不可信号を送信する。
【００５５】
その後の、給油管理機５による処理手順、及び給油端末機３すなわち給油機４による処理手順による処理手順については、第１の実施例と同様であるので、同一符号を付して重複する説明については省略する。
【００５６】
本実施例の場合では、選択された所望の給油機４の給油機制御装置に対して、切換開始時刻になったときに給油管理機５が送信する入金不可信号には、その中に自動切換の時間帯（切換開始時刻及び切換終了時刻）に係る時間情報も含まれている。
【００５７】
これにより、給油管理機５の監視画面６０中には、“現金可”の前払い精算方式から“現金不可”の前払い精算方式になっても、未だ現金入金機３３内に紙幣が格納されたまま残っている場合にはその間ずっと給油所管理者に「現金を回収してください」との警報や、条件設定表示欄６５には “現金有”の表示が表示され続ける（ステップＳＣ１５）。これにより、給油所管理者に、“現金不可”に稼動条件の設定が自動変更された給油機４について、その給油端末機３の現金入金機３３に紙幣が格納されたままであることを認識することができる。
【００５８】
また、端末機制御装置３７は、顧客に現金支払による前払い精算方式が行えないこと知らせるために、例えば、「現金（現金払い）」の選択キー３１−１の表示を、この選択キーが操作できない状態にあることを示す選択キー３１−１の表示に変えたり、図３に示すように、「現金」の選択キー３１−１を表示せず、「クレジット（クレジット払い）」及び「プリカ（プリペイドカード）」のそれぞれ選択キー３１−２，３１−３のみを表示するとともに、自動切換の時間帯に係る時間情報を基に、例えば「１０：００ｐｍ〜７：００ａｍは防犯のため、現金支払はできません」との案内表示も行われるようになっている（ステップＳＤ１５）。
【００５９】
なお、本実施例及び第１の実施例では説明省略したが、“現金不可”の前払い精算方式から“現金可”の前払い精算方式にマニュアル又は自動で復帰した場合には、給油管理機５から給油機４（給油端末機３）には入金許可信号を送信され、給油機４は“現金可”の前払い精算方式に自身の稼動条件を設定することは、入金不可信号を送信した場合と同様である。
【００６０】
＜第３の実施例＞
第３の実施例は、第１，第２の実施例では、入金不可信号を受信した給油機４の端末機制御装置３７は、この入金不可信号に基づき、現金入金機３３から現金格納センサ４５の検知出力を取得し、現金入金機３３内に入金された紙幣が格納されたまま残っているか否かを確認する（ステップＳＤ１２）構成としたが、シャッター装置４０に設けられた、シャッター扉４１が紙幣挿入部３３’を露出させた上昇格納位置にあるか、又は紙幣挿入部３３’を隠蔽する下降引出位置にあるかを検出するシャッター扉判別センサ４２に基づいて、現金入金機３３内に入金された紙幣が格納されたまま残っているか否かを確認する構成になっている。
【００６１】
これ以外の、給油管理機５による処理手順、及び給油端末機３すなわち給油機４による処理手順による処理手順については、第１の実施例と同様であるので、同一符号を付して重複する説明については省略する。
【００６２】
本実施例によれば、現金入金機３３内に入金された紙幣が格納されたまま残っているか否かの確認をシャッター扉４１の状況で判別できるので、“現金不可”の前払い精算方式から“現金可”の前払い精算方式に復帰した場合にも、現金入金機３３の紙幣挿入部３３’がシャッター扉４１で隠蔽したままになっていることも防止できる。
【００６３】
＜第４の実施例＞
第４の実施例は、第１，第２の実施例では、“現金可”の前払い精算方式から“現金不可”の前払い精算方式への稼動条件の変更を、給油管理機５の監視画面６０上で設定操作する構成としたが、本実施例では、現金入金機３３の紙幣挿入部３３’を隠蔽するためのシャッター装置４０のシャッター扉４１の操作によって設定変更操作できるようにしたものである。
【００６４】
図８は、本実施の形態の給油システムによる第２の実施例の制御フローチャートである。
本実施例の場合、給油所管理者が、顧客が車両等に油液を実際に補給する前に現金やプリペイドカードで予め所定金額の入金を行う前払い精算方式の稼動条件が設定されている給油機４について、シャッター扉４１を手動操作で紙幣挿入部３３’を隠蔽する下降引出位置に下降させると、シャッター扉判別センサ４２がこれを検出して、シャッタ扉閉信号を給油管理機５に送信する（ステップＳＤ１０）。
【００６５】
給油管理機５は、監視画面６０上での入金不可スイッチの操作に代えて、給油機４からシャッタ扉閉信号受信すると、この給油機４が“現金可”の前払い精算方式の稼動条件が設定されているものであれば、このシャッタ扉閉信号を送信してきた給油機４の給油機制御装置に対して、入金不可信号を送信する（ステップＳＣ１２）。
【００６６】
これ以外の、給油管理機５による処理手順、及び給油用端末機３すなわち給油機４による処理手順による処理手順については、第１の実施例と同様であるので、同一符号を付して重複する説明については省略する。
【００６７】
本実施例によれば、給油管理機５の“現金可”の前払い精算方式から“現金不可”の前払い精算方式への稼動条件の設定変更操作を、現金入金機３３の紙幣挿入部３３’をシャッター装置４０のシャッター扉４１による隠蔽操作で行える。
【００６８】
これら上述した実施例によれば、“現金可”の前払い精算方式から“現金不可”の前払い精算方式への稼動条件に設定変更した場合は、現金入金機３３内に入金された紙幣が格納されたまま残っていることが防止できるので、防犯・安全の向上がはかれる。
【００６９】
なお、上記説明した本発明の実施の形態では、計量機２と給油端末機３とが同一筐体１ａ内に一体的に収納された給油機４の構成で説明したが、計量機２と給油端末機３とを別筐体構成とし、さらに給油端末機３が１又は複数の給油エリアに設置された複数の計量機２についての給油端末機３を兼用し、顧客がこの中から使用する計量機２を指定して給油作業内容を設定する給油システムにも適用可能である。
【００７０】
また、“現金可”の前払い精算方式から“現金不可”の前払い精算方式へ稼動条件を設定変更する場合について説明したが、“現金可”の前払い精算方式の稼動条件の給油機４（給油端末機３）を、非稼動（停止）状態に給油管理機５で設定変更する場合にも適用可能で、非稼動（停止）状態になる給油機４（給油端末機３）の現金入金機３３内に入金された紙幣が格納されたまま残っていることが防止できるので、防犯・安全の向上がはかれる。
【００７１】
また、現金入金機３３は、紙幣だけではなく貨幣を入金できるものであってもよく、この場合は、現金格納センサ４５を格納された貨幣の有・無も検出する構成にすればよい。  また、給油端末機３は、釣銭返却機能を備えたものであってもよい。
【図面の簡単な説明】
【００７２】
【図１】本発明の一実施の形態に係る給油システムの構成図である。
【図２】図１に示した給油機における給油端末機部分の拡大図である。
【図３】シャッター扉が閉められた状態の給油用端末機の操作部部分の拡大図である。
【図４】図１に示した給油システムにおける給油管理機の拡大図である。
【図５】給油管理機の表示器画面に表示された給油エリア毎の給油機の管理画面の一実施例を示したものである。
【図６】本実施の形態の給油システムによる第１の実施例の制御フローチャートである。
【図７】本実施の形態の給油システムによる第２の実施例の制御フローチャートである。
【図８】本実施の形態の給油システムによる第４の実施例の制御フローチャートである。
【符号の説明】
【００７３】
１  給油システム、  ２  計量機、  ３  給油端末機、    ４  給油機、
５  給油管理機、  ６  通信ライン、  ２１  給油ホース、  ２２  給油ノズル、
２３  送液手段、  ２４  計量手段、  ２５  ノズル掛け、  ２６  ノズルスイッチ、
２７  計量機制御装置、  ２８  給油表示器、  ３１  画面操作設定器、
３２  カード情報読取機、  ３３  現金入金機、  ３４  伝票発行機、
３５  音声報知器、  ３６  インターフォン、  ３７  端末機制御装置、
３８  保護扉、  ４０  シャッター装置、  ４１  シャッター扉、
４２  シャッター扉判別センサ、  ４５  現金格納センサ、
５１  コンピュータ装置、  ５２  表示器、  ５３  操作入力装置、
５４  インターフォン、  ６０  監視画面、  ６１  監視ウィンドウ、
６２  タスクボタン、  ６４  状況表示欄、  ６５  条件設定表示欄、
【図１】
2010023883.tif 000003
【図２】
2010023883.tif 000004
【図３】
2010023883.tif 000005
【図４】
2010023883.tif 000006
【図５】
2010023883.tif 000007
【図６】
2010023883.tif 000008
【図７】
2010023883.tif 000009
【図８】
2010023883.tif 000010